(57)【要約】スピーカー装置において、その外形を大きくすることなくリード線の断線防止を図ることが可能な配線と端子の接続構造を提供する。スピーカー装置は、ボイスコイルを含む振動体、振動体を支持する支持体及び支持体に設けられた端子を備える。支持体は、ボイスコイルのリード線（配線）を支持する配線支持部を含む。リード線は、配線支持部に向かって引き回されて、さらに配線支持部から端子に向かって折り返すように引き回されて端子に電気的に接続される。これにより、スピーカー装置の外形が大きくなるのを防止できる。配線支持部は、振動体の振動方向（音響放射方向及びその反対方向）に対する配線の移動を規制する形状を有するので、振動体の動きに伴って生じる振動がリード線に伝達された場合でも、配線支持部があることによってリード線と端子の接続部分に機械的なストレスが作用し難くなり、リード線が断線に至るのを抑制できる。
2008136090.tif 000002
【特許請求の範囲】
【請求項１】
振動体と、前記振動体を支持する支持体と、前記支持体に取り付けられた端子と、を備え、
前記振動体はボイスコイルを有し、
前記支持体は前記振動体を取り囲むように配置され、
前記支持体には、前記ボイスコイルと電気的に接続された配線を支持するための配線支持部が設けられ、
前記配線は、前記ボイスコイル側から前記配線支持部に向かって引き回されて、さらに前記配線支持部から前記端子に向かって折り返すように引き回されて前記端子に電気的に接続されていることを特徴とするスピーカー装置。
【請求項２】
前記配線支持部は、前記支持体から音響放射方向に向かって突出する第１の配線支持部と、前記第１の配線支持部の一端側から前記第１の配線支持部に対して略直交する方向に折れ曲がる第２の配線支持部と、前記第２の配線支持部の一端側から前記音響放射方向に対し逆方向に向かって延びる第３の配線支持部と、を有していることを特徴とする請求項１に記載のスピーカー装置。
【請求項３】
前記配線支持部は、鉤状の断面形状又は前記配線を取り囲む形状を有することを特徴とする請求項１又は２に記載のスピーカー装置。
【請求項４】
前記配線は、前記ボイスコイルの引き出し位置から前記ボイスコイルの周方向に沿って迂回して前記配線支持部まで引き回されていることを特徴とする請求項１乃至３のいずれか一項に記載のスピーカー装置。
【請求項５】
前記振動体は、前記ボイスコイルを巻回するボイスコイルボビンと、前記ボイスコイルボビンに取り付けられた振動板と、前記振動板の外周部に取り付けられたエッジと、を有し、
前記エッジの外周部は前記支持体の前記外周部に取り付けられ、
前記ボイスコイルボビンと前記振動板と前記エッジと前記支持体との間には空間が形成されており、
前記配線支持部及び前記端子の各々は、前記支持体の前記外周部に設けられ、
前記配線は、前記空間を通って、前記エッジに設けられた開口を通り、前記端子に向かって折り返すように引き回されて前記端子に電気的に接続されていることを特徴とする請求項１乃至４のいずれか一項に記載のスピーカー装置。
【請求項６】
前記振動体は、前記ボイスコイルを巻回するボイスコイルボビンと、前記ボイスコイルボビンに取り付けられた振動板と、前記振動板の外周部に取り付けられたエッジと、を有し、
前記エッジの外周部は前記支持体の前記外周部に取り付けられ、
前記配線支持部及び前記端子の各々は、前記振動板又は前記エッジの下に設けられ、
前記配線は、前記配線支持部に向かって引き回され、さらに前記端子に向かって折り返すように引き回されて前記端子に電気的に接続されていることを特徴とする請求項１乃至４のいずれか一項に記載のスピーカー装置。
【請求項７】
前記配線は、接着剤により前記開口の位置において前記エッジに固定されていることを特徴とする請求項５に記載のスピーカー装置。
【請求項８】
前記振動体又は前記支持体には、前記振動板と前記支持体とで囲まれる空間と前記支持体の外側における外部空間とを繋ぐ貫通孔が設けられていることを特徴とする請求項５又は６に記載のスピーカー装置。
【請求項９】
前記振動体又は前記支持体には、前記振動板と前記支持体とで囲まれる空間と前記支持体の外側における外部空間とを繋ぐ貫通孔が設けられており、
前記貫通孔は前記配線支持部の近傍に設けられていることを特徴とする請求項５又は６に記載のスピーカー装置。
【請求項１０】
前記配線支持部は、前記支持体と一体的に又は別途独立の部材により形成されていることを特徴とする請求項１に記載のスピーカー装置。
【請求項１１】
前記配線支持部は、前記振動板の振動方向に対する前記配線の移動を規制する形状を有することを特徴とする請求項１に記載のスピーカー装置。
【請求項１２】
前記配線は、前記ボイスコイルのリード線又は前記リード線と電気的に接続された錦糸線であることを特徴とする請求項１に記載のスピーカー装置。
【発明の詳細な説明】
【技術分野】
【０００１】
本発明は、スピーカー装置における、配線と端子の接続構造に関する。
【背景技術】
【０００２】
一般的に、スピーカー装置は、音声信号が入力されるボイスコイルと、ボイスコイルを取り囲む位置に設けられ、スピーカー装置の様々な構成要素を支持するフレームと、フレームの外周部付近に設けられた端子と、を備えている。かかるスピーカー装置では、ボイスコイルのリード線が、ボイスコイルの所定の引き出し位置からフレームの外周部に向かって引き出され、そのリード線の一端側が端子に電気的に接続されている。【０００３】
例えば、この種のリード線と端子の接続構造を有するスピーカー装置が特許文献１乃至５に記載されている。【０００４】
特許文献１に記載のスピーカー装置では、ボイルコイルのリード線が振動板のエッジの表面に沿って引き回され、さらに振動板の周縁部において裏側に折り返されてフレームの内部に引き込まれ、さらにその引き込まれたリード線が接続部において外部端子と電気的に接続されている。この構成において、振動板の表面に沿ったリード線は接着剤を用いて振動板の表面に固着されている。これにより、リード線の断線を防ぐことができるとされている。また、振動板の裏側に折り返されたリード線についても接着剤を用いてフレームに固着されている。これにより、リード線をフレーム内部においても固定することができるとされている。【０００５】
また、特許文献２に記載のスピーカー装置では、ボイスコイルから延びるリード線がフレームに取り付けられた端子部材に向かって引き出され、そのリード線の一端側が端子部材に電気的に接続されている。この構成において、特に、端子部材とボイスコイルの間には、リード線を支持するための突起部が設けられている。これにより、リード線とフレームとの間に所定の隙間が形成されるため、リード線がフレームと干渉することを防止でき、その結果、リード線の断線等を防止することができるとされている。【０００６】
また、特許文献３に記載のスピーカー装置では、ボイスコイルの巻き始め、巻き終わりのリード部を、振動板のコーン部、磁気回路及びリング状支持体によってできる空間部分に通して、さらにリング状支持体の上面に沿って引き出し、さらに端子に接続している。この構成において、ボイスコイルの巻き始め、巻き終わりのリード部は、コーン部の内周部に第１の接着剤によって接着され、さらに前記の空間部分では、垂直、水平方向のいずれの方向にも略弛みのない状態で略直線状に引き出され、さらにリング状支持部の上面では、その上面に沿って水平方向に弛ませられると共に第２の接着剤によって接着されている。【０００７】
また、特許文献４に記載のスピーカー装置では、可動コイルの接続リード線は、フレーム上に設けられた保持要素にて接続リード線の一部が固定されている。保持要素にてその一部が固定された接続リード線は、端子コネクタ付近の領域において案内ピン周りに導かれて、さらに端子コネクタ側へ引き出され、接続リード線の自由端と端子コネクタとがはんだ接続されている。この構成では、案内ピンの働きによって、可動コイルが振動する際に接続リード線に伝達される振動が、はんだ接続部分に対して直接作用することを抑制できるとされている。【０００８】
また、特許文献５に記載のスピーカー装置では、スピーカーユニットのボイスコイルから引き出された信号線を、スピーカーユニットの背面側に配置されるフレームの所定箇所に設けられた凹部に挟ませて固定し、この凹部に固定された信号線をフレームに設けた透孔から外部へ引き出すようにしている。これにより、信号線がフレームの凹部に挟まれて固定され、ボイスコイルが振動してもフレームの外に引き出された信号線に振動が伝わらないとされている。【０００９】
【特許文献１】特開２００４−３５０１９９号公報
【特許文献２】特開２００３−３４８６９０号公報
【特許文献３】実開昭６２−１２１９００号公報
【特許文献４】特表２００３−５２１１８４号公報
【特許文献５】特開平５−２４４６８７号公報
【発明の開示】
【発明が解決しようとする課題】
【００１０】
上記した一般的なスピーカー装置において、その外形（又はフレームの外形）を小さくしたい場合には、端子の位置をボイスコイルのリード線の引き出し位置の近くに設定する必要があった。そのため、端子の位置がボイスコイルのリード線の引き出し位置に近い構成の場合には、リード線の長さが必然的に短くなる。このような構成の下、ボイスコイルに大きな音声信号を入力して振動体（振動板やダンパーなどボイスコイルの動きに伴って振動する構成要素、以下同様）を大きな振幅で動かした場合には、リード線の長さが短いことによって機械的なストレス（例えば、引張り応力など）がリード線に作用し易くなり、これによってリード線の断線が引き起こされてしまうといった課題がある。【００１１】
また、上記の特許文献１に記載のスピーカー装置では、リード線を振動板の表面側から裏側に折り返した上でさらに振動板の下方に配置される外部端子まで引き出す必要があり、そのリード線の引き回し構造が極めて複雑であるといった課題がある。【００１２】
また、特許文献２に記載のスピーカー装置では、リード線の断線防止等を図るための突起部は、フレームの上面より約０.１ｍｍほど突出するように形成されるので、そのような突起部の形成をすることは極めて難しいといった課題がある。【００１３】
また、特許文献３に記載のスピーカー装置では、ボイスコイルの巻き始め、巻き終わりのリード部を、第１の接着剤を用いてコーン部の内周部に接着しているので、第１の接着剤が塗布された側の振動板の部位と、その部位に対し反対側に位置する振動板の部位とで振動板のバランスが取れなくなり、振動板の適切な動きを妨げる虞があるといった課題がある。さらに、このスピーカー装置では、ボイスコイルの巻き始め、巻き終わりのリード部は、前記の空間部分において、垂直、水平方向のいずれの方向にも略弛みのない状態で略直線状に引き出されているので、ボイスコイルに大きな音声信号を入力して振動体を大きな振幅で動かした場合には、リード部に機械的なストレスが作用し易くなり、これによってリード部の断線が引き起こされてしまう可能性がある。【００１４】
また、特許文献４に記載のスピーカー装置では、案内ピンが柱状の形状を有するので、音響放射方向及びその反対方向に対する、接続リード線の振動が抑制されず、これによって接続リード線と端子コネクタとの接続部に機械的なストレスが作用し易くなり、ひいては接続リード線が断線してしまう可能性がある。【００１５】
また、特許文献５に記載のスピーカー装置では、凹部より外側に位置する信号線の部分がフレームの透孔を通じて外部へ引き出されているので、その信号線の部分はフレームに固定されておらず浮遊した状態となっている。このため、ボイスコイルの駆動時には凹部に挟持された信号線の部位に機械的なストレスが作用し易くなり、その信号線の部位を基点として信号線の断線が引き起こされてしまう可能性がある。【００１６】
本発明が解決しようとする課題としては、上記のようなものが例として挙げられる。本発明は、スピーカー装置において、主に、端子に対するリード線の引き回し構造を工夫することで、スピーカー装置の外形（又はフレームの外形）を大きくすることなくリード線の断線防止を図ること、スピーカー装置の一方側に対してリード線を引き出すことにより振動体のバランスを取ること、等の課題が一例として挙げられる。
【課題を解決するための手段】
【００１７】
請求項１に記載の発明は、スピーカー装置であって、振動体と、前記振動体を支持する支持体と、前記支持体に取り付けられた端子と、を備え、前記振動体はボイスコイルを有し、前記支持体は前記振動体を取り囲むように配置され、前記支持体には、前記ボイスコイルと電気的に接続された配線を支持するための配線支持部が設けられ、前記配線は、前記ボイスコイル側から前記配線支持部に向かって引き回されて、さらに前記配線支持部から前記端子に向かって折り返すように引き回されて前記端子に電気的に接続されていることを特徴とする。
【図面の簡単な説明】
【００１８】
【図１】本発明の第１実施例に係るスピーカー装置の断面図。
【図２】第１実施例に係るスピーカー装置の平面図。
【図３】第１実施例に係る配線支持部を通る位置で切断したスピーカー装置の要部断面図。
【図４】各種形態例に係る配線支持部を通る位置で切断したスピーカー装置の要部断面図。
【図５】本発明の第２実施例に係るスピーカー装置の平面図。
【図６】第２実施例に係る配線支持部を通る位置で切断したスピーカー装置の要部断面図。
【図７】第１及び第２実施例の他の形態例に係るスピーカー装置の平面図。
【図８】本発明の第３実施例に係るスピーカー装置の断面図。
【図９】第３実施例に係るスピーカー装置の平面図及び第３実施例に係る配線支持部を通る位置で切断したスピーカー装置の要部断面図。
【図１０】第３実施例の変形例に係る配線支持部を通る位置で切断したスピーカー装置の要部断面図。
【符号の説明】
【００１９】
４、８２  支持体
４ｄ  第４段部（外周部）
４ｃ  第３段部
５、７４  ボイスコイルボビン
６、７５  ボイスコイル
６ａ、６ｂ、７５ａ、７５ｂ  リード線
７  ダンパー
８、７６  振動板
９、７６ｂ  エッジ
１１ａ、１１ｂ、７８ａ、７８ｂ  端子
４１、４２、４３、７７  配線支持部
４１ｂ、４２ｂ、４３ｂ、７７ｂ  第２の配線支持部
３０、８０  磁気回路
３１、８１  振動体
１００、２００、３００  スピーカー装置
Ａ１、Ａ１１  空間
Ａ２、Ａ１２  外部空間
【発明を実施するための最良の形態】
【００２０】
本発明の１つの実施形態では、スピーカー装置は、振動体と、前記振動体を支持する支持体と、前記支持体に取り付けられた端子と、を備え、前記振動体はボイスコイルを有し、前記支持体は前記振動体を取り囲むように配置され、前記支持体には、前記ボイスコイルと電気的に接続された配線を支持するための配線支持部が設けられ、前記配線は、前記ボイスコイル側から前記配線支持部に向かって引き回されて、さらに前記配線支持部から前記端子に向かって折り返すように引き回されて前記端子に電気的に接続されている。【００２１】
上記のスピーカー装置は、振動体と、その振動体を支持する支持体と、その支持体に取り付けられた端子と、を備える。振動体は音声信号が入力されるボイスコイルを有する。支持体は振動体を取り囲むように配置される。支持体には、ボイスコイルと電気的に接続された配線を支持するための配線支持部が設けられる。ここで、配線は、ボイスコイルのリード線又は当該リード線と電気的に接続された錦糸線とすることができる。また、前記配線支持部は、前記支持体と一体的に又は別途独立の部材により形成されていることが好ましい。また、前記配線支持部は、前記配線を浮遊させた状態で支持、又は前記ボイスコイルが振動したときに前記配線と接触するように前記配線を支持していることが好ましい。【００２２】
そして、配線は、ボイスコイル側から配線支持部に向かって引き回されて、さらに配線支持部から端子に向かって折り返すように引き回されて端子に電気的に接続されている。  これにより、配線を端子に対して案内及び支持する配線支持部があることによって、端子が支持体のどの位置に存在しても、配線の長さを十分に確保することが可能となる。これにより、ボイスコイルに大きな音声信号を入力して振動体を大きな振幅で動かした場合であっても、配線が断線し難くなる。その結果、ボイスコイルに対して大きな音声信号を入力することが可能となる。また、この構成によれば、ボイスコイル側から端子に向かって直線状に配線を引き出す構成と比較して、スピーカー装置の外形（又は支持体の外形）が大きくなるのを防止できる。【００２３】
好適な例では、配線支持部は、振動体の振動方向（音響放射方向及びその反対方向）に対する配線の移動を規制する形状を有することが好ましい。また、前記配線支持部は、前記支持体から音響放射方向に向かって突出する第１の配線支持部と、前記第１の配線支持部の一端側から前記第１の配線支持部に対して略直交する方向に折れ曲がる第２の配線支持部と、前記第２の配線支持部の一端側から前記音響放射方向に対し逆方向に向かって延びる第３の配線支持部と、を有していることが好ましい。また、前記配線支持部は、鉤状の断面形状又は前記配線を取り囲む形状を有することが好ましい。【００２４】
これにより、スピーカー装置の駆動時における振動体の動きに伴って生じる振動が配線に伝達された場合であっても、振動体の振動方向に対する配線の移動を規制する各配線支持部（又は第２の配線支持部）によって、音響放射方向及びその反対方向に対する、配線の振動が抑制され、配線と端子との接続部分に機械的なストレスが作用するのを抑制できる。その結果、配線が断線に至るのを抑制することができる。【００２５】
上記のスピーカー装置の一つの態様では、前記配線は、前記ボイスコイルの引き出し位置から前記ボイスコイルの周方向に沿って迂回して前記配線支持部まで引き回されている。【００２６】
これにより、配線の長さを十分に確保することが可能になると共に、スピーカー装置の外形（又は支持体の外形）が大きくなることを防止できる。【００２７】
好適な例では、前記振動体は、前記ボイスコイルを巻回するボイスコイルボビンと、前記ボイスコイルボビンに取り付けられた振動板と、前記振動板の外周部に取り付けられたエッジと、を有し、前記エッジの外周部は前記支持体の前記外周部に取り付けられ、前記ボイスコイルボビンと前記振動板と前記エッジと前記支持体との間には空間が形成されており、前記配線支持部及び前記端子の各々は、前記支持体の前記外周部に設けられ、前記配線は、前記空間を通って、前記エッジに設けられた開口を通り、前記端子に向かって折り返すように引き回されて前記端子に電気的に接続されている。【００２８】
他の好適な例では、前記振動体は、前記ボイスコイルを巻回するボイスコイルボビンと、前記ボイスコイルボビンに取り付けられた振動板と、前記振動板の外周部に取り付けられたエッジと、を有し、前記エッジの外周部は前記支持体の前記外周部に取り付けられ、前記配線支持部及び前記端子の各々は、前記振動板又は前記エッジの下に設けられ、前記配線は、前記配線支持部に向かって引き回され、さらに前記端子に向かって折り返すように引き回されて前記端子に電気的に接続されている。【００２９】
上記のスピーカー装置の他の態様では、前記配線は、接着剤により前記開口の位置において前記エッジに固定されている。【００３０】
これにより、振動体の動きに伴って配線に伝達された振動はエッジの開口の位置において抑制されるため、配線と端子との接続部分に機械的なストレスが作用することをより抑制することができる。【００３１】
上記のスピーカー装置の他の態様では、前記振動体又は前記支持体には、前記振動板と前記支持体とで囲まれる空間と前記支持体の外側における外部空間とを繋ぐ貫通孔が設けられている。【００３２】
ここで、このスピーカー装置において、その中心軸を通る平面を基準にして、当該スピーカー装置の一方側に対し配線を引き出すようにした場合、振動体の重量が、配線が引き出された側の方が、前記平面を基準に反対側よりも大きくなり、振動体のバランスが取れなくなってしまう。【００３３】
この点、この態様では、配線支持部の近傍に位置する振動体又は支持体には、振動板と支持体とで囲まれる空間と支持体の外側における外部空間とを繋ぐ貫通孔が設けられているので、貫通孔を通して空気の出入りがスムーズに行われ、振動体において配線が引き出された側の動き易さが促進され、振動体において、配線が引き出された側と前記平面を基準に反対側とで振動体が振動する際のバランスを略一定に保つことが可能となる。前記の振動体のバランスを略一定に保つことが可能とは、例えば、振動体が音響放射方向に対し、略平行に振動できることをいう。【００３４】
好適な例では、前記振動体又は前記支持体には、前記振動板と前記支持体とで囲まれる空間と前記支持体の外側における外部空間とを繋ぐ貫通孔が設けられており、前記貫通孔は前記配線支持部の近傍に設けられていることが好ましい。
【実施例】
【００３５】
以下、図面を参照して本発明の好適な各種の実施例について説明する。【００３６】
[第１実施例]
（スピーカー装置の構成）
まず、図１を参照して、本発明の第１実施例に係る、配線と端子の接続構造を有するスピーカー装置１００の構成について説明する。図１は、本発明の第１実施例に係るスピーカー装置１００を、その中心軸Ｌ１を通る位置で切断した断面図を示す。【００３７】
スピーカー装置１００は、外磁型の磁気回路３０、振動体３１及び支持体４を備える。なお、本発明では、スピーカー装置１００の形状及び駆動方法、並びに磁気回路の構成等に限定はなく、例えば、内磁型の磁気回路を有するスピーカー装置に対しても本発明を適用可能である。【００３８】
（磁気回路の構成）
磁気回路３０は、ヨーク１、マグネット２及びプレート３を構成部材として有し、その各構成部材の構成は次の通りである。【００３９】
ヨーク１は、柱状の形状を有するセンターポール１ａと、センターポール１ａの外周面の下端部から外側へ延在するように設けられたフランジ部１ｂと、を有する。マグネット２は、環状の形状を有し、ヨーク１のフランジ部１ｂ上に取り付けられている。プレート３は、環状の形状を有し、マグネット２上に取り付けられている。プレート３とセンターポール１ａの間にはマグネット２の磁束が集中する磁気ギャップ３２が形成されている。【００４０】
（振動体の構成）
振動体３１は、ボイスコイルボビン５、ボイスコイル６、ダンパー７、振動板８、エッジ９、及びキャップ１０を構成部材として有し、その各構成部材の構成は次の通りである。【００４１】
ボイスコイルボビン５は、筒状の形状を有し、センターポール１ａの外周面の上端部を取り囲むように配置されている。【００４２】
ボイスコイル６は、ボイスコイルボビン５の外周面の下端部に巻かれており、磁気ギャップ３２内に位置している。ボイスコイル６は、一対のプラス／マイナスのリード線６ａ及び６ｂ（図２を参照）を有する。プラスのリード線６ａはＬ（又はＲ）チャンネル信号の入力配線であり、マイナスのリード線６ｂはグランド（ＧＮＤ：接地）信号の入力配線である。一対のプラス／マイナスのリード線６ａ及び６ｂの各々は、後述する支持体４の第４段部（外周部）４ｄ上に取り付けられた端子１１ａ及び１１ｂの各々に電気的に接続されている。なお、端子１１ａ及び１１ｂの各々には、アンプ側から引き出された一対の出力配線の各々に電気的に接続される。【００４３】
ダンパー７は、ボイスコイルボビン５を弾性的に支持する役割を有する。ダンパー７は、環状の形状を有し、同心円状の複数の波形形状（コルゲーション）を備えて構成される。ダンパー７の内周縁部は、ボイスコイルボビン５の外周面の上端部付近に取り付けられている一方、ダンパー７の外周縁部は、後述する支持体４の第２段部４ｂ上に取り付けられている。【００４４】
振動板８は、コーン状の形状を有し、ボイスコイル６へ入力される音声信号に応じた音波を放射する役割を有する。振動板８の内周縁部はボイスコイルボビン５の外周面の上端部に取り付けられている。【００４５】
エッジ９は、環状の形状及び凸状の断面形状を有し、振動板８を弾性的に支持する。エッジ９の内周縁部は、振動板８の外周部に取り付けられている一方、エッジ９の外周縁部は、支持体４の第４段部（外周部）４ｄ上に取り付けられている。【００４６】
キャップ１０は、ドーム状の形状を有し、ボイスコイルボビン５の上端部側を覆うように設けられ、その外周部は振動板８の内周部に取り付けられている。これにより、キャップ１０は、粉塵や水滴などがスピーカー装置１００の内部へ侵入するのを防止する役割を有する。【００４７】
（支持体の構成）
支持体４は、環状の第１段部４ａと、第１段部４ａの外側に且つ音響放射方向Ｙ１側に設けられた環状の第２段部４ｂと、第２段部４ｂの外側に且つ音響放射方向Ｙ１側に設けられた環状の第３段部４ｃと、第３段部４ｃの外側に且つ音響放射方向Ｙ１側に設けられた環状の第４段部（外周部）４ｄと、を備え、略椀状の形状を有している。支持体４は、磁気回路３０及び振動体３１を取り囲むように配置され、磁気回路３０及び振動体３１を支持する役割を有する。なお、支持体４の構成に限定はなく、支持体４は、磁気回路３０及び振動体３１を取り囲むような形状を有していれば、どのような形状であっても良い。好適な例では、支持体４は、アルミニウム等の金属材料や樹脂材料により形成されていることが好ましい。これにより、支持体４の成形加工が容易となる。【００４８】
以上の構成を有するスピーカー装置１００では、アンプ側の一対の出力配線から出力された音声信号は、一対の端子１１ａ及び１１ｂを経由し、さらにボイスコイル６の一対のプラス／マイナスのリード線６ａ及び６ｂを通じて、当該ボイスコイル６へ入力される。これにより、フレミングの左手の法則に基づき、磁気ギャップ３２内でボイスコイル６に電磁気力（ローレンツ力）が作用し、ボイスコイル６と共に振動板８等が音響放射方向Ｙ１及びその逆方向に動くことで、振動板８から音響放射方向Ｙ１に音波が放射される。【００４９】
（配線と端子の接続構造）
次に、図２及び図３を参照して、本発明の第１実施例に係るスピーカー装置１００の配線と端子の接続構造について説明する。【００５０】
図２は、スピーカー装置１００を音響放射方向Ｙ１に対し逆方向から見た平面図である。なお、図２では、説明の便宜上、スピーカー装置１００に対するボイスコイルボビン５及びボイスコイル６の相対的な位置を把握し易くするため、それらの要素を一点鎖線にて図示することにしている。図３は、図２の切断線Ａ−Ａ´に沿ったスピーカー装置１００の要部断面図であり、特に、一対のリード線（配線）６ａ及び６ｂを支持する配線支持部４１の断面構成を示す。なお、図３では、説明の便宜上、前記の空間Ａ１側から配線支持部４１に向かって引き回されるリード線６ａの位置（一点鎖線の部分）についても図示をすることにしている。【００５１】
このスピーカー装置１００では、図２に示すように、支持体４の第４段部（外周部）４ｄ上には、ボイスコイル６の一対のリード線６ａ及び６ｂの各々を支持するための一対の配線支持部４１が適当な間隔をおいて設けられている。本例では、各配線支持部４１は、支持体４と一体的に形成されているが、本発明では、これに限定されず、各配線支持部４１は、支持体４と別途独立の部材により形成されていても構わない。【００５２】
各配線支持部４１は、図３に示すように、振動体３０の振動方向（音響放射方向Ｙ１及びその反対方向、以下同様の意味で用いる）に対する、一対のリード線６ａ及び６ｂの各々の移動を規制する形状を有する。具体的には、各配線支持部４１は、図３に示すように、支持体４の第４段部（外周部）４ｄ上から音響放射方向Ｙ１に向かって突出する第１の配線支持部４１ａと、第１の配線支持部４１ａの一端側から第１の配線支持部４１ａに対して略直交する方向に且つスピーカー装置１００の中心軸Ｌ１側に折れ曲がる第２の配線支持部４１ｂと、第２の配線支持部４１ｂの一端側から音響放射方向Ｙ１に対し逆方向に向かって延びる第３の配線支持部４１ｃと、第１の配線支持部４１ａと第２の配線支持部４１ｂと第３の配線支持部４１ｃとの間に設けられた間隙４１ｇと、を備え、鉤状の断面形状を有する。かかる構成により、第２の配線支持部４１ｂは、振動体３１の振動方向に対する、一対のリード線６ａ及び６ｂの各々の移動を規制することになる。【００５３】
ボイスコイル６の引き出し位置Ｐ１及びＰ２から引き出されたボイスコイル６の一対のリード線６ａ及び６ｂの各々は、ダンパー７と、ボイスコイルボビン５と、振動板８と、エッジ９と、支持体４との間に形成された空間Ａ１を通って、各配線支持部４１近傍のエッジ９に設けられた開口９ａを通って、空間Ａ１側から支持体４の外側における外部空間Ａ２側へと挿通される。さらに、一対のリード線６ａ及び６ｂの各々は、各配線支持部４１に向かって引き回されて各配線支持部４１の間隙４１ｇに挿通されている。特に、ボイスコイル６の一対のリード線６ａ及び６ｂの各々は、ボイスコイル６の引き出し位置Ｐ１及びＰ２からボイスコイル６の周方向に沿って迂回して各配線支持部４１まで引き回されている。さらに、ボイスコイル６の一対のリード線６ａ及び６ｂの各々は、各配線支持部４１から支持体４の第４段部（外周部）４ｄに設けられた端子１１ａ及び１１ｂの各々に向かって折り返すように引き回されて端子１１ａ及び１１ｂの各々に電気的に接続されている。【００５４】
ここで、図２において、ボイスコイル６の一対のリード線６ａｘ及び６ｂｘの各々が、ボイスコイル６の引き出し位置Ｐ１及びＰ２から端子１１ａ及び１１ｂの各々に向かって直線状に引き出された比較例を想定する。比較例では、端子１１ａ及び１１ｂの位置が夫々ボイスコイル６の引き出し位置Ｐ１及びＰ２に近くなるため、これに伴って一対のリード線６ａｘ及び６ｂｘの各々の長さも必然的に短くなる。このような構成の下、ボイスコイル６に大きな音声信号を入力して振動体３１を大きな振幅で動かした場合には、一対のリード線６ａｘ及び６ｂｘの各々の長さが短いことによって機械的なストレス（例えば、引張り応力など）が一対のリード線６ａｘ及び６ｂｘの各々と端子１１ａ及び１１ｂの各々との接続部分に作用し易くなり、これによって一対のリード線６ａｘ及び６ｂｘの各々の断線が引き起こされてしまう可能性がある。【００５５】
これに対して、第１実施例に係る、配線と端子の接続構造を有するスピーカー装置１００では、一対のリード線６ａ及び６ｂの各々は、ボイスコイル６の引き出し位置Ｐ１及びＰ２から各配線支持部４１に向かって引き回されて各配線支持部４１にて支持される。さらに、一対のリード線６ａ及び６ｂの各々は、各配線支持部４１から端子１１ａ及び１１ｂの各々に向かって折り返すように引き回されて端子１１ａ及び１１ｂの各々に電気的に接続されている。ここで、各配線支持部４１は、一対のリード線６ａ及び６ｂの各々を浮遊させた状態で支持、又はボイスコイル６が振動したときに一対のリード線６ａ及び６ｂの各々と接触するように一対のリード線６ａ及び６ｂの各々を支持していることが好ましい。【００５６】
これにより、一対のリード線６ａ及び６ｂの各々を端子１１ａ及び１１ｂの各々に対して案内及び支持する各配線支持部４１があることによって、端子１１ａ及び１１ｂが支持体４のどの位置に存在しても、一対のリード線６ａ及び６ｂの各々の長さを十分に確保することが可能となる。これにより、ボイスコイル６に大きな音声信号を入力して振動体３１を大きな振幅で動かした場合であっても、一対のリード線６ａ及び６ｂの各々が断線し難くなる。その結果、ボイスコイル６に対して大きな音声信号を入力することが可能となる。また、この構成によれば、ボイスコイル６側から端子１１ａ及び１１ｂに向かって直線状に一対のリード線６ａ及び６ｂの各々を引き出す構成を有する比較例と比較して、スピーカー装置１００の外形（又は支持体４の外形）が大きくなるのを防止できる。【００５７】
また、第１実施例では、各配線支持部４１は、振動体３０の振動方向に対する、一対のリード線６ａ及び６ｂの各々の移動を規制する形状を有する。より具体的には、第２の配線支持部４１ｂは、振動体３１の振動方向に対する、一対のリード線６ａ及び６ｂの各々の移動を規制している。【００５８】
これにより、スピーカー装置１００の駆動時における振動体３１の動きに伴って生じる振動が一対のリード線６ａ及び６ｂに伝達された場合であっても、振動体３１の振動方向に対する、一対のリード線６ａ及び６ｂの各々の移動を規制する各配線支持部４１があることで、音響放射方向Ｙ１及びその反対方向に対する、一対のリード線６ａ及び６ｂの振動が抑制され、一対のリード線６ａ及び６ｂの各々と、端子１１ａ及び１１ｂの各々との接続部分に機械的なストレスが作用するのを抑制できる。その結果、一対のリード線６ａ及び６ｂの各々が断線に至るのを抑制することができる。【００５９】
なお、第１実施例では、各配線支持部４１は、振動体３０の振動方向に対する、一対のリード線６ａ及び６ｂの各々の移動を規制する形状を有していればどのような形状であっても構わない。【００６０】
例えば、第１実施例では、各配線支持部４２は、図３の対応図である図４（ａ）に示すように、支持体４の第４段部（外周部）４ｄ上から音響放射方向Ｙ１に向かって突出する第１の配線支持部４２ａと、第１の配線支持部４２ａの一端側から第１の配線支持部４２ａに対して略直交する方向に且つスピーカー装置１００の外側に折れ曲がる第２の配線支持部４２ｂと、第２の配線支持部４２ｂの一端側から音響放射方向Ｙ１に対し逆方向に向かって延びる第３の配線支持部４２ｃと、第１の配線支持部４２ａと第２の配線支持部４２ｂと第３の配線支持部４２ｃとの間に設けられた間隙４２ｇと、を備え、鉤状の断面形状を有して構成されていてもよい。かかる構成により、第２の配線支持部４２ｂは、振動体３１の振動方向に対する、一対のリード線６ａ及び６ｂの各々の移動を規制することになる。【００６１】
または、第１実施例では、各配線支持部４３は、図３の対応図である図４（ｂ）に示すように、支持体４の第４段部（外周部）４ｄ上から音響放射方向Ｙ１に向かって突出する第１の配線支持部４３ａと、第１の配線支持部４３ａの一端側から第１の配線支持部４３ａに対して略直交する方向に且つスピーカー装置１００の外側に折れ曲がる第２の配線支持部４３ｂと、第２の配線支持部４３ｂの一端側から音響放射方向Ｙ１に対し逆方向に向かって延び、さらに支持体４の第４段部（外周部）４ｄ上に繋がるように形成された第３の配線支持部４３ｃと、第４段部（外周部）４ｄと第１の配線支持部４３ａと第２の配線支持部４３ｂと第３の配線支持部４３ｃとの間に設けられた間隙４３ｇと、を備え、一対のリード線６ａ及び６ｂの各々を取り囲む形状を有して構成されていてもよい。かかる構成により、第２の配線支持部４３ｂは、振動体３１の振動方向に対する、一対のリード線６ａ及び６ｂの各々の移動を規制することになる。【００６２】
さらに、第１実施例では、その他の例として、図示を省略するが、各配線支持部は、支持体４の第４段部（外周部）４ｄ上から音響放射方向Ｙ１に向かって突出する第１の配線支持部と、前記第１の配線支持部の一端側から前記第１の配線支持部に対して略直交する方向に折れ曲がる第２の配線支持部と、前記第２の配線支持部４３ｂの一端側から音響放射方向Ｙ１に対し逆方向に向かって延びる第３の配線支持部と、前記第１の配線支持部と前記第２の配線支持部と前記第３の配線支持部との間に設けられた間隙と、を備え、鉤状の断面形状を有して構成されていてもよい。かかる構成により、前記第２の配線支持部は、振動体３１の振動方向に対する、一対のリード線６ａ及び６ｂの各々の移動を規制することになる。【００６３】
また、ボイスコイル６の一対のリード線６ａ及び６ｂの各々は、ボイスコイル６の引き出し位置Ｐ１及びＰ２からボイスコイル６の周方向に沿って迂回して各配線支持部４１まで引き回されているので、一対のリード線６ａ及び６ｂの各々の長さを十分に確保することが可能になると共に、スピーカー装置１００の外形（又は支持体４の外形）が大きくなることを防止できる。【００６４】
好適な例では、一対のリード線６ａ及び６ｂの各々は、各開口９ａに塗布された接着剤（図示略）により、各開口９ａの位置においてエッジ９に固定されていることが好ましい。これにより、振動体３１の動きに伴って一対のリード線６ａ及び６ｂに伝達された振動は各開口９ａの位置において抑制されるため、一対のリード線６ａ及び６ｂの各々と、端子１１ａ及び１１ｂの各々との接続部分に機械的なストレスが作用することをより抑制することができる。【００６５】
（振動体のバランスの調整方法）
第１実施例に係るスピーカー装置１００では、図２に示すように、その中心軸Ｌ１を通る平面Ｓ１を基準にして、スピーカー装置１００の一方側に対し一対のリード線６ａ及び６ｂを引き出すようにしている。このため、振動体３１の重量は、振動体３１において一対のリード線６ａ及び６ｂが引き出された側３１ａの方が平面Ｓ１を基準に反対側３１ｂよりも大きくなり、振動体３１のバランスが取れなくなってしまう。【００６６】
そこで、この点を改善するため、第１実施例では、各配線支持部４１の近傍に位置するエッジ９に対して、前記の空間Ａ１と支持体４の外側における外部空間Ａ２とを繋ぐ貫通孔９ｂを設ける。これにより、前記一対のリード線６ａ及び６ｂが引き出された側３１ａの動き易さが促進され、つまり貫通孔９ｂを通して空気の出入りがスムーズに行われて、振動体３１において、一対のリード線６ａ及び６ｂが引き出された側３１ａと平面Ｓ１を基準に反対側３１ｂとで振動体３１が振動する際のバランスを略一定に保つことが可能となる。振動体３１のバランスを略一定に保つことが可能とは、例えば、振動体３１が音響放射方向Ｙ１に対し、略平行に振動できることをいう。【００６７】
なお、これに限らず、本発明では、前記の貫通孔９ｂは、図２の対応図である図７（ａ）に示すように、平面Ｓ１を基準にして、各配線支持部４１に対し反対側に位置するエッジ９に設けても構わない。また、本発明では、前記の空間Ａ１と接する、エッジ９以外の振動体３１の構成要素又は前記の空間Ａ１と接する支持体４の部分に対して、前記の空間Ａ１と支持体４の外側における外部空間Ａ２とを繋ぐ貫通孔を設けても構わない。これによっても、一対のリード線６ａ及び６ｂが引き出された側３１ａの動き易さが促進され、つまり当該貫通孔を通して空気の出入りがスムーズに行われて、振動体３１が振動する際のバランスを略一定に保つことができる。【００６８】
[第２実施例]
次に、図５及び図６を参照して、本発明の第２実施例に係る、配線と端子の接続構造を有するスピーカー装置２００の構成について説明する。【００６９】
図５は、図２に対応する平面図であり、第２実施例に係るスピーカー装置２００を音響放射方向Ｙ１に対し逆方向から見た平面図である。なお、図５では、説明の便宜上、スピーカー装置２００に対するボイスコイルボビン５及びボイスコイル６の相対的な位置を把握し易くするため、それらの要素を一点鎖線にて図示することにしている。図６は、図５の切断線Ｂ−Ｂ´に沿ったスピーカー装置２００の要部断面図であり、特に、一対のリード線（配線）６ａ及び６ｂを支持する配線支持部４１の断面構成を示す。なお、図６では、説明の便宜上、前記の空間Ａ１側から配線支持部４１側に対し引き回されるリード線６ａの位置（一点鎖線の部分）についても図示をすることにしている。【００７０】
第２実施例と第１実施例とを比較した場合、その両者は、主に、次の点が異なっており、それ以外の構成は略同様である。よって、以下では、第１実施例と同一の要素については同一の符号を付し、その説明は省略する。【００７１】
即ち、第１実施例では、図２に示すように、配線支持部４１並びに端子１１ａ及び１１ｂが、それぞれ、支持体４の第４段部（外周部）４ｄ上に設けられていた。これに対して、第２実施例では、図５及び図６に示すように、配線支持部４１並びに端子１１ａ及び１１ｂが、それぞれ、スピーカー装置２００の内部、具体的には、ダンパー７と、ボイスコイルボビン５と、振動板８と、エッジ９と、支持体４との間に形成された空間Ａ１内に位置する、支持体４の第３段部４ｃ上に設けられている。このため、第２実施例と第１実施例では、各配線支持部４１並びに端子１１ａ及び１１ｂに対する、一対のリード線６ａ及び６ｂの各々の引き回し構造が異なっている。なお、本発明では、支持体４の第３段部４ｃ上に各配線支持部４１並びに端子１１ａ及び１１ｂを設けることの他に、支持体４と振動体３１と磁気回路３０とによって囲まれる空間内に位置するよう、支持体４の内側の側面に設けるようにしても構わない。【００７２】
即ち、第２実施例では、ボイスコイル６の引き出し位置Ｐ１及びＰ２から引き出されたボイスコイル６の一対のリード線６ａ及び６ｂの各々は、前記の空間Ａ１を通って、前記の空間Ａ１内に位置する、支持体４の第３段部４ｃ上に設けられた各配線支持部４１に向かって引き回されて各配線支持部４１の間隙４１ｇに挿通され、各配線支持部４１に引っ掛けられた状態で支持されている。特に、ボイスコイル６の一対のリード線６ａ及び６ｂの各々は、ボイスコイル６の引き出し位置Ｐ１及びＰ２からボイスコイル６の周方向に沿って迂回して各配線支持部４１まで引き回されている。さらに、ボイスコイル６の一対のリード線６ａ及び６ｂの各々は、支持体４の第３段部４ｃ上に設けられた端子１１ａ及び１１ｂの各々に向かって折り返すように引き回されて端子１１ａ及び１１ｂの各々に電気的に接続されている。【００７３】
以上のように、第２実施例に係る、配線と端子の接続構造を有するスピーカー装置２００では、一対のリード線６ａ及び６ｂの各々は、ボイスコイル６の引き出し位置Ｐ１及びＰ２から各配線支持部４１に向かって引き回されて各配線支持部４１にて支持される。さらに、一対のリード線６ａ及び６ｂの各々は、各配線支持部４１から端子１１ａ及び１１ｂの各々に向かって折り返すように引き回されて端子１１ａ及び１１ｂの各々に電気的に接続されている。【００７４】
これにより、一対のリード線６ａ及び６ｂの各々を端子１１ａ及び１１ｂの各々に対して案内及び支持する各配線支持部４１があることによって、端子１１ａ及び１１ｂが支持体４のどの位置に存在しても、一対のリード線６ａ及び６ｂの各々の長さを十分に確保することが可能となる。これにより、ボイスコイル６に大きな音声信号を入力して振動体３１を大きな振幅で動かした場合であっても、一対のリード線６ａ及び６ｂの各々が断線し難くなる。その結果、ボイスコイル６に対して大きな音声信号を入力することが可能となる。また、この構成によれば、ボイスコイル６側から端子１１ａ及び１１ｂに向かって直線状に一対のリード線６ａ及び６ｂの各々を引き出す構成を有する比較例と比較して、スピーカー装置２００の外形（又は支持体４の外形）が大きくなるのを防止できる。【００７５】
また、第２実施例では、各配線支持部４１は、振動体３０の振動方向に対する、一対のリード線６ａ及び６ｂの各々の移動を規制する形状を有する。より具体的には、第２の配線支持部４１ｂは、振動体３１の振動方向に対する、一対のリード線６ａ及び６ｂの各々の移動を規制している。【００７６】
これにより、スピーカー装置２００の駆動時における振動体３１の動きに伴って生じる振動が一対のリード線６ａ及び６ｂに伝達された場合であっても、振動体３１の振動方向に対する、一対のリード線６ａ及び６ｂの各々の移動を規制する各配線支持部４１があることによって、音響放射方向Ｙ１及びその反対方向に対する、一対のリード線６ａ及び６ｂの振動が抑制され、一対のリード線６ａ及び６ｂの各々と、端子１１ａ及び１１ｂの各々との接続部分に機械的なストレスが作用するのを抑制できる。その結果、一対のリード線６ａ及び６ｂの各々が断線に至るのを抑制することができる。【００７７】
なお、第２実施例では、各配線支持部４１は、振動体３０の振動方向に対する、一対のリード線６ａ及び６ｂの各々の移動を規制する形状を有していればどのような形状であっても構わない。よって、第２実施例では、各配線支持部４１の構成に変えて、例えば、上記した各配線支持部４２、各配線支持部４３、又は第１実施例のその他の例に係る各配線支持部の構成を採用することが可能である。【００７８】
また、ボイスコイル６の一対のリード線６ａ及び６ｂの各々は、ボイスコイル６の引き出し位置Ｐ１及びＰ２からボイスコイル６の周方向に沿って迂回して各配線支持部４１まで引き回されているので、一対のリード線６ａ及び６ｂの各々の長さを十分に確保することが可能になると共に、スピーカー装置２００の外形（又は支持体４の外形）が大きくなることを防止できる。【００７９】
好適な例では、一対のリード線６ａ及び６ｂの各々は、各開口９ａに塗布された接着剤（図示略）により、各開口９ａの位置においてエッジ９に固定されていることが好ましい。これにより、振動体３１の動きに伴って一対のリード線６ａ及び６ｂに伝達された振動は各開口９ａの位置において抑制されるため、一対のリード線６ａ及び６ｂの各々と、端子１１ａ及び１１ｂの各々との接続部分に機械的なストレスが作用することをより抑制することができる。【００８０】
（振動体のバランスの調整方法）
第２実施例に係るスピーカー装置２００では、図５に示すように、その中心軸Ｌ１を通る平面Ｓ１を基準にして、スピーカー装置２００の一方側に対し一対のリード線６ａ及び６ｂを引き出すようにしている。このため、第１実施例と同様に、振動体３１の重量は、一対のリード線６ａ及び６ｂが引き出された側３１ａの方が、平面Ｓ１を基準に反対側に位置する側３１ｂよりも大きくなり、振動体３１のバランスが取れなくなってしまう。【００８１】
そこで、第２実施例では、第１実施例と同様に、各配線支持部４１の近傍に位置するエッジ９に対して、前記の空間Ａ１と支持体４の外側における外部空間Ａ２とを繋ぐ貫通孔９ｂを設ける。これにより、前記一対のリード線６ａ及び６ｂが引き出された側３１ａの動き易さが促進され、つまり貫通孔９ｂを通して空気の出入りがスムーズに行われて、振動体３１において、一対のリード線６ａ及び６ｂが引き出された側３１ａと平面Ｓ１を基準に反対側３１ｂとで振動体３１が振動する際のバランスを略一定に保つことが可能となる。【００８２】
なお、これに限らず、本発明では、前記の貫通孔９ｂは、図５の対応図である図７（ｂ）に示すように、平面Ｓ１を基準にして、各配線支持部４１に対し反対側に位置するエッジ９に設けても構わない。また、本発明では、前記の空間Ａ１と接する、エッジ９以外の振動体３１の構成要素又は前記の空間Ａ１と接する支持体４の部分に対して、前記の空間Ａ１と支持体４の外側における外部空間Ａ２とを繋ぐ貫通孔を設けても構わない。【００８３】
[第３実施例]
次に、図８及び図９を参照して、本発明の第３実施例に係る、配線と端子の接続構造を有するスピーカー装置３００の構成について説明する。【００８４】
（スピーカー装置の構成）
図８は、本発明の第３実施例に係るスピーカー装置３００を、その中心軸Ｌ１を通る位置で切断した断面図を示す。【００８５】
上記の第１及び第２実施例では、いわゆるコーン形のスピーカー装置１００及び２００に対して、本発明に係る配線と端子の接続構造を適用した。これに対して、第３実施例では、いわゆるドーム形のスピーカー装置に対して、本発明に係る配線と端子の接続構造を適用している。具体的には、第３実施例に係るスピーカー装置３００は、図８に示すように、磁気回路８０、振動体８１及び支持体８２を備える。【００８６】
（磁気回路の構成）
磁気回路８０は、ヨーク７１、マグネット７２及びプレート７３を構成部材として有し、その各構成部材の構成は次の通りである。【００８７】
ヨーク７１は、マグネット７２を載置する板状の載置部７１ａと、載置部７１ａの外周部から音響放射方向Ｙ１へ延び、マグネット７２及びプレート７３を取り囲む形状を有する外周部７１ｂと、を有する。マグネット７２は、円板状の形状を有し、ヨーク７１の載置部７１ａ上に取り付けられている。プレート７３は、環状の形状を有し、マグネット７２上に取り付けられている。プレート７３とヨーク７１の外周部７１ｂの上端部との間にはマグネット７２の磁束が集中する磁気ギャップ８３が形成されている。【００８８】
（振動体の構成）
振動体８１は、ボイスコイルボビン７４、ボイスコイル７５、振動板７６を構成部材として有し、その各構成部材の構成は次の通りである。【００８９】
ボイスコイルボビン７４は、筒状の形状を有し、プレート７３及びマグネット７２の一部を取り囲むように配置されている。【００９０】
ボイスコイル７５は、ボイスコイルボビン７４の外周面の下端部に巻かれており、磁気ギャップ８３内に位置している。ボイスコイル７５は、一対のプラス／マイナスのリード線７５ａ及び７５ｂ（図９（ａ）を参照）を有する。プラスのリード線７５ａはＬ（又はＲ）チャンネル信号の入力配線であり、マイナスのリード線７５ｂはグランド（ＧＮＤ：接地）信号の入力配線である。一対のプラス／マイナスのリード線７５ａ及び７５ｂの各々は、後述する支持体８２の外周部８２ａ上に取り付けられた端子７８ａ及び７８ｂの各々に電気的に接続されている。なお、端子７８ａ及び７８ｂの各々には、アンプ側から引き出された一対の出力配線の各々に電気的に接続される。【００９１】
振動板７６は、ドーム形状を有する振動板本体７６ａと、振動板本体７６ａの外側に設けられた凸状のエッジ７６ｂと、を有し、ボイスコイル７６へ入力される音声信号に応じた音波を放射する役割を有する。振動板本体７６ａの外周縁部はボイスコイルボビン７４の外周面の上端部に取り付けられている。【００９２】
（支持体の構成）
支持体８２は、椀状の形状を有し、磁気回路８０を収容している。支持体８２は、磁気回路８０及び振動体８１を支持する役割を有する。なお、本発明では支持体８２の形状に限定はない。好適な例では、支持体８２は、アルミニウム等の金属材料や樹脂材料により形成されていることが好ましい。これにより、支持体８２の成形加工が容易となる。【００９３】
以上の構成を有するスピーカー装置３００では、アンプ側の一対の出力配線から出力された音声信号は、一対の端子７８ａ及び７８ｂを経由し、さらにボイスコイル７５の一対のプラス／マイナスのリード線７５ａ及び７５ｂを通じて、当該ボイスコイル７５へ入力される。これにより、フレミングの左手の法則に基づき、磁気ギャップ８３内でボイスコイル７５に電磁気力（ローレンツ力）が作用し、ボイスコイル７５と共に振動板７６等が音響放射方向Ｙ１及びその逆方向に動くことで、振動板本体７６ａから音響放射方向Ｙ１に音波が放射される。【００９４】
（配線と端子の接続構造）
次に、図９を参照して、本発明の第３実施例に係るスピーカー装置３００の配線と端子の接続構造について説明する。【００９５】
図９（ａ）は、図２に対応する平面図であり、第３実施例に係るスピーカー装置３００を音響放射方向Ｙ１に対し逆方向から見た平面図である。なお、図８では、説明の便宜上、スピーカー装置３００に対するボイスコイルボビン７４及びボイスコイル７５の相対的な位置を把握し易くするため、それらの要素を一点鎖線にて図示することにしている。図９（ｂ）は、図９（ａ）の切断線Ｃ−Ｃ´に沿ったスピーカー装置３００の要部断面図であり、特に、一対のリード線（配線）７５ａ及び７５ｂを支持する配線支持部７７の断面構成を示す。なお、図９（ｂ）では、説明の便宜上、振動板７６とボイスコイルボビン７４と支持体８２とヨーク７１とによって囲まれる空間Ａ１１側からから配線支持部７７側に対し引き回されるリード線７５ａの位置（一点鎖線の部分）についても図示をすることにしている。【００９６】
このスピーカー装置３００では、図９（ａ）に示すように、支持体８２の外周部８２ａ上には、ボイスコイル７５の一対のリード線７５ａ及び７５ｂの各々を支持するための一対の配線支持部７７が適当な間隔をおいて設けられている。本例では、各配線支持部７７は、支持体８２と一体的に形成されているが、本発明では、これに限定されず、各配線支持部７７は、支持体８２と別途独立の部材により形成されていても構わない。【００９７】
各配線支持部７７は、図９（ｂ）に示すように、振動体８０の振動方向（音響放射方向Ｙ１及びその反対方向）に対する、一対のリード線７５ａ及び７５ｂの各々の移動を規制する形状を有する。具体的には、各配線支持部７７は、図９（ｂ）に示すように、支持体８２の外周部８２ａ上から音響放射方向Ｙ１に向かって突出する第１の配線支持部７７ａと、第１の配線支持部７７ａの一端側から第１の配線支持部７７ａに対して略直交する方向に且つスピーカー装置３００の中心軸Ｌ１側に折れ曲がる第２の配線支持部７７ｂと、第２の配線支持部７７ｂの一端側から音響放射方向Ｙ１に対し逆方向に向かって延びる第３の配線支持部７７ｃと、第１の配線支持部７７ａと第２の配線支持部７７ｂと第３の配線支持部７７ｃとの間に設けられた間隙７７ｇと、を備え、鉤状の断面形状を有する。かかる構成により、第２の配線支持部７７ｂは、振動体８１の振動方向に対する、一対のリード線７５ａ及び７５ｂの各々の移動を規制することになる。【００９８】
ボイスコイル７５の引き出し位置Ｐ１及びＰ２から引き出されたボイスコイル７５の一対のリード線７５ａ及び７５ｂの各々は、振動板７６とボイスコイルボビン７４と支持体８２とヨーク７１とによって囲まれる空間Ａ１１を通って、各配線支持部７７近傍のエッジ７６ｂに設けられた開口７６ｂａを通って、空間Ａ１１側から支持体８２の外側における外部空間Ａ１２側へと挿通される。さらに、一対のリード線７５ａ及び７５ｂの各々は、各配線支持部７７に向かって引き回されて各配線支持部７７の間隙７７ｇに挿通されている。特に、ボイスコイル７５の一対のリード線７５ａ及び７５ｂの各々は、ボイスコイル７５の引き出し位置Ｐ１及びＰ２からボイスコイル７５の周方向に沿って迂回して各配線支持部７７まで引き回されている。さらに、ボイスコイル７５の一対のリード線７５ａ及び７５ｂの各々は、各配線支持部７７から支持体８２の外周部８２ａに設けられた端子７８ａ及び７８ｂの各々に向かって折り返すように引き回されて端子７８ａ及び７８ｂの各々に電気的に接続されている。【００９９】
第３実施例に係る、配線と端子の接続構造を有するスピーカー装置３００では、一対のリード線７５ａ及び７５ｂの各々は、ボイスコイル７５の引き出し位置Ｐ１及びＰ２から各配線支持部７７に向かって引き回されて各配線支持部７７にて支持される。さらに、一対のリード線７５ａ及び７５ｂの各々は、各配線支持部７７から端子７８ａ及び７８ｂの各々に向かって折り返すように引き回されて端子７８ａ及び７８ｂの各々に電気的に接続されている。ここで、各配線支持部７７は、一対のリード線７５ａ及び７５ｂの各々を浮遊させた状態で支持、又はボイスコイル７５が振動したときに一対のリード線７５ａ及び７５ｂの各々と接触するように一対のリード線７５ａ及び７５ｂの各々を支持していることが好ましい。【０１００】
これにより、一対のリード線７５ａ及び７５ｂの各々を端子７８ａ及び７８ｂの各々に対して案内及び支持する各配線支持部７７があることによって、端子７８ａ及び７８ｂが支持体８２のどの位置に存在しても、一対のリード線７５ａ及び７５ｂの各々の長さを十分に確保することが可能となる。これにより、ボイスコイル７５に大きな音声信号を入力して振動体８１を大きな振幅で動かした場合であっても、一対のリード線７５ａ及び７５ｂの各々が断線し難くなる。その結果、ボイスコイル７５に対して大きな音声信号を入力することが可能となる。また、この構成によれば、ボイスコイル７５側から端子７８ａ及び７８ｂに向かって直線状に一対のリード線７５ａｘ及び７５ｂｘの各々を引き出す構成（図９（ａ）を参照）を有する比較例と比較して、スピーカー装置３００の外形（又は支持体８２の外形）が大きくなるのを防止できる。【０１０１】
また、第１実施例では、各配線支持部７７は、振動体３０の振動方向に対する、一対のリード線７５ａ及び７５ｂの各々の移動を規制する形状を有する。より具体的には、第２の配線支持部７７ｂは、振動体８１の振動方向に対する、一対のリード線７５ａ及び７５ｂの各々の移動を規制している。【０１０２】
これにより、スピーカー装置３００の駆動時における振動体８１の動きに伴って生じる振動が一対のリード線７５ａ及び７５ｂに伝達された場合であっても、振動体８１の振動方向に対する、一対のリード線７５ａ及び７５ｂの各々の移動を規制する各配線支持部７７があることで、音響放射方向Ｙ１及びその反対方向に対する、一対のリード線７５ａ及び７５ｂの振動が抑制され、一対のリード線７５ａ及び７５ｂの各々と、端子７８ａ及び７８ｂの各々との接続部分に機械的なストレスが作用するのを抑制できる。その結果、一対のリード線７５ａ及び７５ｂの各々が断線に至るのを抑制することができる。【０１０３】
なお、第３実施例では、各配線支持部７７は、振動体３０の振動方向に対する、一対のリード線７５ａ及び７５ｂの各々の移動を規制する形状を有していればどのような形状であっても構わない。よって、第３実施例では、各配線支持部７７の構成に変えて、例えば、上記した各配線支持部４２、各配線支持部４３、又は第１実施例のその他の例に係る各配線支持部の構成を採用することが可能である。【０１０４】
また、第３実施例では、ボイスコイル７５の一対のリード線７５ａ及び７５ｂの各々は、ボイスコイル７５の引き出し位置Ｐ１及びＰ２からボイスコイル７５の周方向に沿って迂回して各配線支持部７７まで引き回されているので、一対のリード線７５ａ及び７５ｂの各々の長さを十分に確保することが可能になると共に、スピーカー装置３００の外形（又は支持体８２の外形）が大きくなることを防止できる。【０１０５】
好適な例では、一対のリード線７５ａ及び７５ｂの各々は、各開口７６ｂａに塗布された接着剤（図示略）により、各開口７６ｂａの位置においてエッジ７６ｂに固定されていることが好ましい。これにより、振動体８１の動きに伴って一対のリード線７５ａ及び７５ｂに伝達された振動は各開口７６ｂａの位置において抑制されるため、一対のリード線７５ａ及び７５ｂの各々と、端子７８ａ及び７８ｂの各々との接続部分に機械的なストレスが作用することをより抑制することができる。【０１０６】
（振動体のバランスの調整方法）
第３実施例に係るスピーカー装置３００では、図２に示すように、その中心軸Ｌ１を通る平面Ｓ１を基準にして、スピーカー装置３００の一方側に対し一対のリード線７５ａ及び７５ｂを引き出すようにしている。このため、振動体８１の重量は、一対のリード線７５ａ及び７５ｂが引き出された側８１ａの方が、平面Ｓ１を基準に反対側に位置する側８１ｂよりも大きくなり、振動体８１のバランスが取れなくなってしまう。【０１０７】
そこで、この点を改善するため、第３実施例では、各配線支持部７７の近傍に位置するエッジ７６ｂに対して、前記の空間Ａ１１と支持体８２の外側における外部空間Ａ１２とを繋ぐ貫通孔７６ｂｂを設ける。これにより、前記一対のリード線７５ａ及び７５ｂが引き出された側３１ａの動き易さが促進され、つまり貫通孔７６ｂｂを通して空気の出入りがスムーズに行われて、振動体８１において、一対のリード線７５ａ及び７５ｂが引き出された側８１ａと平面Ｓ１を基準に反対側８１ｂとで振動体８１が振動する際のバランスを略一定に保つことが可能となる。振動体８１のバランスを略一定に保つことが可能とは、例えば、振動体８１が音響放射方向Ｙ１に対し、略平行に振動できることをいう。【０１０８】
なお、これに限らず、本発明では、前記の貫通孔７６ｂｂは、図９（ａ）に示すように、平面Ｓ１を基準にして、各配線支持部７７に対し反対側に位置するエッジ７６ｂ（円形の破線部分）に設けても構わない。また、本発明では、前記の空間Ａ１１と接する、エッジ７６ｂ以外の振動体８１の構成要素又は前記の空間Ａ１１と接する支持体８２の部分に対して、前記の空間Ａ１１と支持体８２の外側における外部空間Ａ１２とを繋ぐ貫通孔を設けても構わない。これによっても、振動体８１において、一対のリード線７５ａ及び７５ｂが引き出された側８１ａの動き易さが促進され、つまり当該貫通孔を通して空気の出入りがスムーズに行われて、振動体８１が振動する際のバランスを略一定に保つことができる。【０１０９】
[変形例]
上記の各種の実施例では、一対のリード線６ａ及び６ｂ（又は一対のリード線７５ａ及び７５ｂ）の各々は、ボイスコイル６（又はボイスコイル７５）の引き出し位置Ｐ１及びＰ２から各配線支持部４１（又は各配線支持部７７）に向かって引き回されて、さらに各配線支持部４１（又は各配線支持部７７）から端子１１ａ及び１１ｂ（又は端子７８ａ及び７８ｂ）の各々に向かって折り返すように引き回されて端子１１ａ及び１１ｂ（又は端子７８ａ及び７８ｂ）の各々に電気的に接続されていた。これに限らず、本発明では、ボイスコイル６（又はボイスコイル７５）の引き出し位置Ｐ１及びＰ２から引き出された一対のリード線６ａ及び６ｂ（又は一対のリード線７５ａ及び７５ｂ）の各々は、図示しない各錦糸線（各配線）と電気的に接続され、当該各錦糸線は各配線支持部４１（又は各配線支持部７７）に向かって引き回されて、さらに各配線支持部４１（又は各配線支持部７７）から端子１１ａ及び１１ｂ（又は端子７８ａ及び７８ｂ）の各々に向かって折り返すように引き回されて端子１１ａ及び１１ｂ（又は端子７８ａ及び７８ｂ）の各々に電気的に接続されるように構成しても構わない。【０１１０】
上記の第３実施例では、配線支持部７７並びに端子７８ａ及び７８ｂが、それぞれ、支持体８２の外周部８２ａ上に設けられていた。これに限らず、本発明では、第３実施例に係るドーム形のスピーカー装置３００において、配線支持部７７並びに端子７８ａ及び７８ｂが、それぞれ、スピーカー装置３００の内部、具体的には、ボイスコイルボビン７４と、振動板７６と、支持体８２との間に形成された空間Ａ１１内に位置する、支持体８２の内側の側面に設けても構わない。この構成の場合、図示を省略するが、一対のリード線７５ａ及び７５ｂの各々は、ボイスコイル７５の引き出し位置Ｐ１及びＰ２から各配線支持部７７に向かって引き回されて各配線支持部７７にて支持される。さらに、一対のリード線７５ａ及び７５ｂの各々は、各配線支持部７７から端子７８ａ及び７８ｂの各々に向かって折り返すように引き回されて端子７８ａ及び７８ｂの各々に電気的に接続される。【０１１１】
これにより、一対のリード線７５ａ及び７５ｂの各々を端子７８ａ及び７８ｂの各々に対して案内及び支持する各配線支持部７７があることによって、端子７８ａ及び７８ｂが支持体８２のどの位置に存在しても、一対のリード線７５ａ及び７５ｂの各々の長さを十分に確保することが可能となる。これにより、ボイスコイル７５に大きな音声信号を入力して振動体８１を大きな振幅で動かした場合であっても、一対のリード線７５ａ及び７５ｂの各々が断線し難くなる。その結果、ボイスコイル７５に対して大きな音声信号を入力することが可能となる。また、この構成によれば、ボイスコイル７５側から端子７８ａ及び７８ｂに向かって直線状に一対のリード線７５ａｘ及び７５ｂｘの各々を引き出す構成を有する比較例と比較して、スピーカー装置３００の外形（又は支持体８２の外形）が大きくなるのを防止できる。【０１１２】
また、上記の第３実施例では、振動板本体７６ａ及びエッジ７６ｂを振動板７６が有しているが、振動板７６は振動板本体７６ａであり、振動板７６の外周部にエッジ７６ｂを別部材として接合しても構わない。また、エッジ７６ｂの代わりに、振動板本体７６ａの内側側面と、プレート７３の前面に接するダンパー（図示せず）を設けても構わない。【０１１３】
さらに、図９（ｂ）の対応図である図１０に示すように、支持体８２の上端部の内周部側を階段状に形成し、支持体８２へのエッジ７６ｂの接合部に開口７６ｂａを形成し、この開口７６ｂａにリード線７５ａ、７５ｂを通し、各配線支持部７７を介して端子７８ａ、７８ｂに電気的に接続させても構わない。【０１１４】
その他、本発明では、その趣旨を逸脱しない範囲において種々の変形をすることが可能である。
【産業上の利用可能性】
【０１１５】
本発明は、家庭用、携帯機器用、車載用などの各種のスピーカー装置として利用することができる。
【図１】
2008136090.tif 000003
【図２】
2008136090.tif 000004
【図３】
2008136090.tif 000005
【図４】
2008136090.tif 000006
【図５】
2008136090.tif 000007
【図６】
2008136090.tif 000008
【図７】
2008136090.tif 000009
【図８】
2008136090.tif 000010
【図９】
2008136090.tif 000011
【図１０】
2008136090.tif 000012
【手続補正書】
【提出日】平成21年9月8日(2009.9.8)
【手続補正１】
【補正対象書類名】特許請求の範囲
【補正対象項目名】全文
【補正方法】変更
【補正の内容】
【特許請求の範囲】
【請求項１】
振動体と、前記振動体を支持する支持体と、前記支持体に取り付けられた端子と、を備え、
前記振動体は、ボイスコイルと、前記ボイスコイルを巻回するボイスコイルボビンと、前記ボイスコイルボビンに取り付けられた振動板と、前記振動板の外周部に取り付けられたエッジと、を有し、
前記支持体は前記振動体を取り囲むように配置され、
前記支持体には、前記ボイスコイルと電気的に接続された配線を支持するための配線支持部が設けられ、
前記エッジの外周部は前記支持体の前記外周部に取り付けられ、
前記ボイスコイルボビンと前記振動板と前記エッジと前記支持体との間には空間が形成されており、
前記配線支持部及び前記端子の各々は、前記支持体の前記外周部に設けられ、
前記配線は、前記ボイスコイル側から、前記空間を通って、前記エッジに設けられた開口を通り、前記配線支持部に向かって引き回されて、さらに前記配線支持部から前記端子に向かって折り返すように引き回されて前記端子に電気的に接続されていることを特徴とするスピーカー装置。
【請求項２】
前記配線支持部は、前記支持体から音響放射方向に向かって突出する第１の配線支持部と、前記第１の配線支持部の一端側から前記第１の配線支持部に対して略直交する方向に折れ曲がる第２の配線支持部と、前記第２の配線支持部の一端側から前記音響放射方向に対し逆方向に向かって延びる第３の配線支持部と、を有していることを特徴とする請求項１に記載のスピーカー装置。
【請求項３】
前記配線支持部は、鉤状の断面形状又は前記配線を取り囲む形状を有することを特徴とする請求項１又は２に記載のスピーカー装置。
【請求項４】
前記配線は、前記ボイスコイルの引き出し位置から前記ボイスコイルの周方向に沿って迂回して前記配線支持部まで引き回されていることを特徴とする請求項１乃至３のいずれか一項に記載のスピーカー装置。
【請求項５】
前記配線は、接着剤により前記開口の位置において前記エッジに固定されていることを特徴とする請求項１乃至４に記載のスピーカー装置。
【請求項６】
前記振動体又は前記支持体には、前記振動板と前記支持体とで囲まれる空間と前記支持体の外側における外部空間とを繋ぐ貫通孔が設けられていることを特徴とする請求項１乃至５に記載のスピーカー装置。
【請求項７】
前記振動体又は前記支持体には、前記振動板と前記支持体とで囲まれる空間と前記支持体の外側における外部空間とを繋ぐ貫通孔が設けられており、
前記貫通孔は前記配線支持部の近傍に設けられていることを特徴とする請求項１乃至６に記載のスピーカー装置。
【請求項８】
前記配線支持部は、前記支持体と一体的に又は別途独立の部材により形成されていることを特徴とする請求項１に記載のスピーカー装置。
【請求項９】
前記配線支持部は、前記振動板の振動方向に対する前記配線の移動を規制する形状を有することを特徴とする請求項１に記載のスピーカー装置。
【請求項１０】
前記配線は、前記ボイスコイルのリード線又は前記リード線と電気的に接続された錦糸線であることを特徴とする請求項１に記載のスピーカー装置。
【請求項１１】
請求項１に記載されるスピーカー装置を備えることを特徴とする自動車。
【手続補正２】
【補正対象書類名】明細書
【補正対象項目名】００１７
【補正方法】変更
【補正の内容】
【００１７】
請求項１に記載の発明は、スピーカー装置であって、振動体と、前記振動体を支持する支持体と、前記支持体に取り付けられた端子と、を備え、前記振動体は、ボイスコイルと、前記ボイスコイルを巻回するボイスコイルボビンと、前記ボイスコイルボビンに取り付けられた振動板と、前記振動板の外周部に取り付けられたエッジと、を有し、前記支持体は前記振動体を取り囲むように配置され、前記支持体には、前記ボイスコイルと電気的に接続された配線を支持するための配線支持部が設けられ、前記エッジの外周部は前記支持体の前記外周部に取り付けられ、前記ボイスコイルボビンと前記振動板と前記エッジと前記支持体との間には空間が形成されており、前記配線支持部及び前記端子の各々は、前記支持体の前記外周部に設けられ、前記配線は、前記ボイスコイル側から、前記空間を通って、前記エッジに設けられた開口を通り、前記配線支持部に向かって引き回されて、さらに前記配線支持部から前記端子に向かって折り返すように引き回されて前記端子に電気的に接続されていることを特徴とする。
【国際調査報告】
2008136090.tif 000013
2008136090.tif 000014
2008136090.tif 000015
2008136090.tif 000016